【手続補正書】
【提出日】平成18年10月2日(2006.10.2)
【手続補正１】
【補正対象書類名】特許請求の範囲
【補正対象項目名】全文
【補正方法】変更
【補正の内容】
【特許請求の範囲】
【請求項１】
分散パイロット信号が、所定のＮ（Ｎは整数）シンボル毎に同一のパターンで繰り返し含まれるＯＦＤＭ（直交周波数分割多重）信号を受信する受信装置であって、
前記ＯＦＤＭ信号をフーリエ変換することにより、周波数軸信号に変換するフーリエ変換手段と、
前記フーリエ変換手段の出力からＮシンボル毎の同期を確立するＮシンボル同期確立手段とを有することを特徴とする受信装置。
【請求項２】
分散パイロット信号が、所定のＮ（Ｎは整数）シンボル毎に同一のパターンで繰り返し含まれるＯＦＤＭ（直交周波数分割多重）信号を受信する受信装置であって、
前記ＯＦＤＭ信号をフーリエ変換することにより、周波数軸信号に変換するフーリエ変換手段と、
前記フーリエ変換手段の出力からフレーム同期を確立するフレーム同期確立手段と、
前記フーリエ変換手段の出力からＮシンボル毎の同期を確立するＮシンボル同期確立手段を有し、
前記、Ｎシンボル同期確立手段は、フレーム同期確立手段より前に処理されることを特徴とする受信装置。
【請求項３】
前記Ｎシンボル同期確立手段は、
前記フーリエ変換手段の出力のうち、所定のキャリア位置の信号をＮシンボル間で相関演算を行うＮシンボル相関演算手段と、
前記Ｎシンボル相関演算を１シンボルずつシフトして行うことにより、Ｎ種類の相関演算結果を算出する指標算出手段を備え、
前記Ｎ種類の相関演算指標のうち、最大の指標を示す結果をもとに同期確立を行うことを特徴とする請求項１乃至２のいずれか１項に記載の受信装置。
【請求項４】
前記Ｎシンボル同期確立手段は、
前記フーリエ変換手段の出力から、Ｎシンボル間で相関演算を行うＮシンボル相関演算手段と、
前記Ｎシンボル相関演算手段の出力から、前記パイロット信号のＮ種類の配置パターンに従って、それぞれパイロット信号のキャリア位置の相関演算結果を累積する累積手段と、
前記累積手段の出力から、Ｎ種類の累積結果のうち、最大の値を示す結果をもとに、Ｎシンボル同期を判定する判定手段とを備えることを特徴とする請求項１乃至２のいずれか１項に記載の受信装置。
【請求項５】
分散パイロット信号が、１シンボルでは所定のＭ個の（Ｍは整数）キャリア間隔毎に１つ含まれ、シンボル毎にＬキャリア（ＬはＭ＝Ｌ＊Ｎを満たす整数）ずつシフトして挿入されているＯＦＤＭ（直交周波数分割多重）信号を受信する受信装置であって、
前記ＯＦＤＭ信号をフーリエ変換することにより、周波数軸信号に変換するフーリエ変換手段と、
前記フーリエ変換手段の出力のうち、所定のキャリア位置、及びＭキャリア毎に離れたキャリア位置の信号を、それぞれＮシンボル間で相関演算を行うＮシンボル相関演算手段と、
前記Ｎシンボル相関演算手段の出力を、Ｍキャリア毎に離れた相関演算結果と積算する相関積算手段と、
前記、相関積算手段は、前記所定のキャリア位置から、ｍ＊Ｌ（ｍ＝０〜Ｎ−１)離れたＮ個の分散パイロット信号配置パターンの候補毎に積算を行い、
前記Ｎ個の候補毎の積算結果のうち、最大の指標を示す結果をもとに分散パイロット信号配置パターンを特定する事でＮシンボル同期を確立することを特徴とする請求項１乃至２のいずれか１項に記載の受信装置。
【請求項６】
前記ＯＦＤＭ受信装置は、前記相関積算手段によって最大の指標が算出された候補から、分散パイロット信号の位置を特定し、前記特定された分散パイロット信号を用いて、前記ＯＦＤＭ信号を等化する等化手段とを備えることを特徴とする請求項３乃至５のいずれか１項に記載の受信装置。
【請求項７】
前記ＯＦＤＭ受信装置は、前記Ｎシンボル同期確立手段と、フレーム同期確立手段を有し、
前記フレーム同期確立手段によりフレーム同期を確立し、
前記フレーム同期確立手段からフレームの先頭シンボルを特定し、
前記特定されたフレーム先頭シンボルから分散パイロット信号位置を特定し、
前記Ｎシンボル同期確立手段によって特定された分散パイロット信号位置の分散パイロット信号を用いた等化から、前記フレーム同期確立手段によって特定された分散パイロット信号位置の分散パイロット信号を用いて等化することに切り替える切替手段を有することを特徴とする請求項６記載の受信装置。
【請求項８】
分散パイロット信号が、所定のＮ（Ｎは整数）シンボル毎に同一のパターンで繰り返し含まれるＯＦＤＭ（直交周波数分割多重）信号を受信する受信方法であって、
前記ＯＦＤＭ信号をフーリエ変換することにより、周波数軸信号に変換するフーリエ変換ステップと、
前記フーリエ変換手段の出力からＮシンボル毎の同期を確立するＮシンボル同期確立ステップとを有することを特徴とする受信方法。
【請求項９】
分散パイロット信号が、所定のＮ（Ｎは整数）シンボル毎に同一のパターンで繰り返し含まれるＯＦＤＭ（直交周波数分割多重）信号を受信する受信方法であって、
前記ＯＦＤＭ信号をフーリエ変換することにより、周波数軸信号に変換するフーリエ変換ステップと、
前記フーリエ変換手段の出力からフレーム同期を確立するフレーム同期確立ステップと、
前記フーリエ変換手段の出力からＮシンボル毎の同期を確立するＮシンボル同期確立ステップを有し、
前記、Ｎシンボル同期確立ステップは、フレーム同期確立ステップより前に処理されることを特徴とする受信方法。
【請求項１０】
前記Ｎシンボル同期確立ステップは、
前記フーリエ変換手段の出力のうち、所定のキャリア位置の信号をＮシンボル間で相関演算を行うＮシンボル相関演算ステップと、
前記Ｎシンボル相関演算を１シンボルずつシフトして行うことにより、Ｎ種類の相関演算結果を算出する指標算出ステップを備え、
前記Ｎ種類の相関演算指標のうち、最大の指標を示す結果をもとに同期確立を行うことを特徴とする請求項８乃至９のいずれか１項に記載の受信方法。
【請求項１１】
前記Ｎシンボル同期確立ステップは、
前記フーリエ変換手段の出力から、Ｎシンボル間で相関演算を行うＮシンボル相関演算ステップと、
前記Ｎシンボル相関演算手段の出力から、前記パイロット信号のＮ種類の配置パターンに従って、それぞれパイロット信号のキャリア位置の相関演算結果を累積する累積ステップと、
前記累積ステップの出力から、Ｎ種類の累積結果のうち、最大の値を示す結果をもとに、Ｎシンボル同期を判定する判定ステップとを備えることを特徴とする請求項８乃至９のいずれか１項に記載の受信方法。
【請求項１２】
分散パイロット信号が、１シンボルでは所定のＭ個の（Ｍは整数）キャリア間隔毎に１つ含まれ、シンボル毎にＬキャリア（ＬはＭ＝Ｌ＊Ｎを満たす整数）ずつシフトして挿入されているＯＦＤＭ（直交周波数分割多重）信号を受信する受信方法であって、
前記ＯＦＤＭ信号をフーリエ変換することにより、周波数軸信号に変換するフーリエ変換ステップと、
前記フーリエ変換手段の出力のうち、所定のキャリア位置、及びＭキャリア毎に離れたキャリア位置の信号を、それぞれＮシンボル間で相関演算を行うＮシンボル相関演算ステップと、
前記Ｎシンボル相関演算手段の出力を、Ｍキャリア毎に離れた相関演算結果と積算する相関積算ステップと、
前記、相関積算ステップは、前記所定のキャリア位置から、ｍ＊Ｌ（ｍ＝０〜Ｎ−１)離れたＮ個の分散パイロット信号配置パターンの候補毎に積算を行い、
前記Ｎ個の候補毎の積算結果のうち、最大の指標を示す結果をもとに分散パイロット信号配置パターンを特定する事でＮシンボル同期を確立することを特徴とする請求項８乃至９のいずれか１項に記載の受信方法。
【請求項１３】
分散パイロット信号が、所定のＮ（Ｎは整数）シンボル毎に同一のパターンで繰り返し含まれるＯＦＤＭ（直交周波数分割多重）信号を受信する装置の集積回路であって、
前記ＯＦＤＭ信号をフーリエ変換することにより、周波数軸信号に変換するフーリエ変換手段と、
前記フーリエ変換手段の出力からＮシンボル毎の同期を確立するＮシンボル同期確立手段を有することを特徴とする集積回路。
【請求項１４】
分散パイロット信号が、所定のＮ（Ｎは整数）シンボル毎に同一のパターンで繰り返し含まれるＯＦＤＭ（直交周波数分割多重）信号を受信する装置の集積回路であって、
前記ＯＦＤＭ信号をフーリエ変換することにより、周波数軸信号に変換するフーリエ変換手段と、
前記フーリエ変換手段の出力からフレーム同期を確立するフレーム同期確立手段と、
前記フーリエ変換手段の出力からＮシンボル毎の同期を確立するＮシンボル同期確立手段を有し、
前記、Ｎシンボル同期確立手段は、フレーム同期確立手段より前に処理されることを特徴とする集積回路。
【請求項１５】
前記Ｎシンボル同期確立手段は、
前記フーリエ変換手段の出力のうち、所定のキャリア位置の信号をＮシンボル間で相関演算を行うＮシンボル相関演算手段と、
前記Ｎシンボル相関演算を１シンボルずつシフトして行うことにより、Ｎ種類の相関演算結果を算出する指標算出手段を備え、
前記Ｎ種類の相関演算指標のうち、最大の指標を示す結果をもとに同期確立を行うことを特徴とする請求項１３乃至１４のいずれか１項に記載の集積回路。
【請求項１６】
前記Ｎシンボル同期確立手段は、
前記フーリエ変換手段の出力から、Ｎシンボル間で相関演算を行うＮシンボル相関演算手段と、
前記Ｎシンボル相関演算手段の出力から、前記パイロット信号のＮ種類の配置パターンに従って、それぞれパイロット信号のキャリア位置の相関演算結果を累積する累積手段と、
前記累積手段の出力から、Ｎ種類の累積結果のうち、最大の値を示す結果をもとに、Ｎシンボル同期を判定する判定手段とを備えることを特徴とする請求項１３乃至１４のいずれか１項に記載の集積回路。
【請求項１７】
分散パイロット信号が、１シンボルでは所定のＭ個の（Ｍは整数）キャリア間隔毎に１つ含まれ、シンボル毎にＬキャリア（ＬはＭ＝Ｌ＊Ｎを満たす整数）ずつシフトして挿入されているＯＦＤＭ（直交周波数分割多重）信号を受信する装置の集積回路であって、
前記ＯＦＤＭ信号をフーリエ変換することにより、周波数軸信号に変換するフーリエ変換手段と、
前記フーリエ変換手段の出力のうち、所定のキャリア位置、及びＭキャリア毎に離れたキャリア位置の信号を、それぞれＮシンボル間で相関演算を行うＮシンボル相関演算手段と、
前記Ｎシンボル相関演算手段の出力を、Ｍキャリア毎に離れた相関演算結果と積算する相関積算手段と、
前記、相関積算手段は、前記所定のキャリア位置から、ｍ＊Ｌ（ｍ＝０〜Ｎ−１)離れたＮ個の分散パイロット信号配置パターンの候補毎に積算を行い、
前記Ｎ個の候補毎の積算結果のうち、最大の指標を示す結果をもとに分散パイロット信号配置パターンを特定する事でＮシンボル同期を確立することを特徴とする請求項１３乃至１４のいずれか１項に記載の集積回路。
【請求項１８】
分散パイロット信号が、所定のＮ（Ｎは整数）シンボル毎に同一のパターンで繰り返し含まれるＯＦＤＭ（直交周波数分割多重）信号を受信する受信処理を、
コンピュータを用いて実施するためのコンピュータ実行可能なプログラムであって、請求項８乃至請求項１２のうち少なくとも一つの請求項に記載した各ステップをコンピュータに実行させることを特徴とするプログラム。
【手続補正２】
【補正対象書類名】明細書
【補正対象項目名】発明の名称
【補正方法】変更
【補正の内容】
【発明の名称】受信装置、受信方法、集積回路、及びプログラム
【手続補正３】
【補正対象書類名】明細書
【補正対象項目名】００１５
【補正方法】変更
【補正の内容】
【００１５】
図１４は、欧州の地上デジタル放送に用いられるＯＦＤＭ信号のフレームの一構成例を、図１０と同様の表記法により示している。欧州の地上デジタル放送に用いられるＯＦＤＭ信号では、前記ＳＰシンボルに相当するブーステッドパイロットシンボルと、前記ＴＭＣＣ信号に相当するＴＰＳ信号とが伝送される。詳細は、非特許文献２を参照のこと。
上記の問題に鑑み、本発明は、周波数領域のＯＦＤＭ信号によって表される複素シンボルが供給され始めた後、従来よりも短時間のうちにパイロットシンボルの位置を特定して信号の等化処理を開始することができる受信装置、受信方法、集積回路、及びプログラムを提供することを目的とする。
【手続補正４】
【補正対象書類名】明細書
【補正対象項目名】００１６
【補正方法】変更
【補正の内容】
【００１６】
上記問題を解決するため、本発明の受信装置は、分散パイロット信号が、所定のＮ（Ｎは整数）シンボル毎に同一のパターンで繰り返し含まれるＯＦＤＭ（直交周波数分割多重）信号を受信する受信装置であって、前記ＯＦＤＭ信号をフーリエ変換することにより、周波数軸信号に変換するフーリエ変換手段と、前記フーリエ変換手段の出力からＮシンボル毎の同期を確立するＮシンボル同期確立手段とを有することを特徴とする。
また、上記問題を解決するために、本発明の受信装置は、分散パイロット信号が、所定のＮ（Ｎは整数）シンボル毎に同一のパターンで繰り返し含まれるＯＦＤＭ（直交周波数分割多重）信号を受信する受信装置であって、前記ＯＦＤＭ信号をフーリエ変換することにより、周波数軸信号に変換するフーリエ変換手段と、前記フーリエ変換手段の出力からフレーム同期を確立するフレーム同期確立手段と、前記フーリエ変換手段の出力からＮシンボル毎の同期を確立するＮシンボル同期確立手段を有し、前記、Ｎシンボル同期確立手段は、フレーム同期確立手段より前に処理されることを特徴とする。
また、上記問題を解決するために、本発明の受信方法は、分散パイロット信号が、所定のＮ（Ｎは整数）シンボル毎に同一のパターンで繰り返し含まれるＯＦＤＭ（直交周波数分割多重）信号を受信する受信方法であって、前記ＯＦＤＭ信号をフーリエ変換することにより、周波数軸信号に変換するフーリエ変換ステップと、前記フーリエ変換手段の出力からＮシンボル毎の同期を確立するＮシンボル同期確立ステップとを有することを特徴とする。
また、上記問題を解決するために、本発明の受信方法は、分散パイロット信号が、所定のＮ（Ｎは整数）シンボル毎に同一のパターンで繰り返し含まれるＯＦＤＭ（直交周波数分割多重）信号を受信する受信方法であって、前記ＯＦＤＭ信号をフーリエ変換することにより、周波数軸信号に変換するフーリエ変換ステップと、
前記フーリエ変換手段の出力からフレーム同期を確立するフレーム同期確立ステップと、前記フーリエ変換手段の出力からＮシンボル毎の同期を確立するＮシンボル同期確立ステップを有し、前記、Ｎシンボル同期確立ステップは、フレーム同期確立ステップより前に処理されることを特徴とする。
また、上記問題を解決するために、本発明の集積回路は、分散パイロット信号が、所定のＮ（Ｎは整数）シンボル毎に同一のパターンで繰り返し含まれるＯＦＤＭ（直交周波数分割多重）信号を受信する装置の集積回路であって、前記ＯＦＤＭ信号をフーリエ変換することにより、周波数軸信号に変換するフーリエ変換手段と、前記フーリエ変換手段の出力からＮシンボル毎の同期を確立するＮシンボル同期確立手段を有することを特徴とする。
また、上記問題を解決するために、本発明の集積回路は、分散パイロット信号が、所定のＮ（Ｎは整数）シンボル毎に同一のパターンで繰り返し含まれるＯＦＤＭ（直交周波数分割多重）信号を受信する装置の集積回路であって、前記ＯＦＤＭ信号をフーリエ変換することにより、周波数軸信号に変換するフーリエ変換手段と、前記フーリエ変換手段の出力からフレーム同期を確立するフレーム同期確立手段と、前記フーリエ変換手段の出力からＮシンボル毎の同期を確立するＮシンボル同期確立手段を有し、前記、Ｎシンボル同期確立手段は、フレーム同期確立手段より前に処理されることを特徴とする。
また、上記問題を解決するために、本発明のプログラムは、分散パイロット信号が、所定のＮ（Ｎは整数）シンボル毎に同一のパターンで繰り返し含まれるＯＦＤＭ（直交周波数分割多重）信号を受信する受信処理を、コンピュータを用いて実施するためのコンピュータ実行可能なプログラムであって、上述した受信方法の各ステップをコンピュータに実行させることを特徴とする。
【手続補正５】
【補正対象書類名】明細書
【補正対象項目名】００１７
【補正方法】変更
【補正の内容】
【００１７】
本発明の受信装置、受信方法、集積回路、及びプログラムによれば、フレーム同期とは関係なく、数〜数十シンボル時間分の複素シンボルを用いてパイロットシンボルを特定して等化処理を開始できる。本発明によれば、等化処理を開始するまでに要する時間は、従来の技術が要する１．５〜２フレーム時間に比べて短い。
【手続補正６】
【補正対象書類名】明細書
【補正対象項目名】００１８
【補正方法】削除
【補正の内容】
【手続補正７】
【補正対象書類名】明細書
【補正対象項目名】００１９
【補正方法】削除
【補正の内容】
【手続補正８】
【補正対象書類名】明細書
【補正対象項目名】００２０
【補正方法】削除
【補正の内容】
【手続補正９】
【補正対象書類名】明細書
【補正対象項目名】００２１
【補正方法】削除
【補正の内容】
【手続補正１０】
【補正対象書類名】明細書
【補正対象項目名】００２２
【補正方法】削除
【補正の内容】
【手続補正１１】
【補正対象書類名】明細書
【補正対象項目名】００２３
【補正方法】削除
【補正の内容】
【手続補正１２】
【補正対象書類名】明細書
【補正対象項目名】００２４
【補正方法】削除
【補正の内容】
【手続補正１３】
【補正対象書類名】明細書
【補正対象項目名】００２５
【補正方法】削除
【補正の内容】
【手続補正１４】
【補正対象書類名】明細書
【補正対象項目名】００２６
【補正方法】削除
【補正の内容】
【手続補正１５】
【補正対象書類名】明細書
【補正対象項目名】００２７
【補正方法】削除
【補正の内容】
【手続補正１６】
【補正対象書類名】明細書
【補正対象項目名】００２８
【補正方法】削除
【補正の内容】
【手続補正１７】
【補正対象書類名】明細書
【補正対象項目名】００２９
【補正方法】削除
【補正の内容】
【手続補正１８】
【補正対象書類名】明細書
【補正対象項目名】００３０
【補正方法】削除
【補正の内容】
【手続補正１９】
【補正対象書類名】明細書
【補正対象項目名】００３１
【補正方法】削除
【補正の内容】
【手続補正２０】
【補正対象書類名】明細書
【補正対象項目名】００３２
【補正方法】削除
【補正の内容】
【手続補正２１】
【補正対象書類名】明細書
【補正対象項目名】００３３
【補正方法】削除
【補正の内容】
【手続補正２２】
【補正対象書類名】明細書
【補正対象項目名】００３４
【補正方法】削除
【補正の内容】
【手続補正２３】
【補正対象書類名】明細書
【補正対象項目名】００３５
【補正方法】削除
【補正の内容】
【手続補正２４】
【補正対象書類名】明細書
【補正対象項目名】００３６
【補正方法】削除
【補正の内容】